(57)【特許請求の範囲】
【請求項１】
矩形状の開口部をなし後方に向かって下方に傾斜した投入口を前面上部に備え排出口を下部に備え前記投入口と前記排出口との間で略鉛直方向に物品を収容可能としたコラムを複数内蔵する自動販売機に装着して物品の投入を制御するものであって、
前記コラムの前記投入口に装着するために前記投入口近傍の壁面と略係合する係合部と、
前記投入口からの物品の投入を阻害する封鎖部と、
前記封鎖部の機能を制御する制御部と、で構成したことを特徴とする物品投入制御具。
【請求項２】
前記制御部は、鍵と錠とからなる錠前部を形成したことを特徴とする請求項１に記載の物品投入制御具。
【請求項３】
前記封鎖部は、開閉蓋自在とする開閉扉、又は前記投入口の前記開口部の幅員または高さに応じて外形寸法を可変自在とする可変伸縮部、を形成したことを特徴とする請求項１または２に記載の物品投入制御具。
【請求項４】
複数の前記投入口に一括して装着自在に形成した請求項１乃至３の何れか１項に記載の物品投入制御具。
【請求項５】
請求項１乃至４に係る物品投入制御具を備えた自動販売機。
【発明の詳細な説明】
【技術分野】
【０００１】
本発明は、コラム単位での貸し出しを行なう自動販売機に装着する物品投入制御具及び物品投入制御具を備えた自動販売機に関する。
【背景技術】
【０００２】
従来、自動販売機は、所有者から委託されたオペレーター会社が飲料等の商品の補充や在庫管理等を行なうか、所有者自らがこれらの作業を行なうのが一般的である。
【０００３】
すなわち、運用のために１台の自動販売機の内部に触れるのは１社または１所有者であることから、自動販売機の扉を開け、商品やつり銭用の現金を補充すること及び売上金を集金する作業等は特定の決まった者が鍵を保有しその者が責任を持って管理している。
【０００４】
ここで、自動販売機の種類を見渡すと、それは多種多様であり様々な機種が存在し、中でも最も一般的なものは、自動販売機にお金を投入し、購入希望者が前面の商品ディスプレイ内のサンプルを確認して希望する商品に対応したスイッチを押下することで下方に飲料等の商品が落下して取り出し口に排出されるものである。
【０００５】
この自動販売機は、外部からは視認できない内部において、上部に投入口を有し下部に排出口を有して異なる複数の商品を収容可能とするコラムと呼ばれる複数の収容庫を備え、オペレーター会社の作業者等が様々な商品を対象のコラムに収容して運用されるものである。
【０００６】
なお、特許文献１には、上述した最も一般的な自動販売機のコラムの前方に枢止連結した断熱扉に断熱蓋を配設してコラム内環境の安定化や騒音防止を目的としたものが開示されている。
【０００７】
また、他の自動販売機として、自動販売機にお金を投入し、購入希望者が前面の窓越しに視認できる縦横複数の商品棚に陳列された商品から、希望する商品に対応付けられた番号等を入力することや、番号等が表示された複数のスイッチから対象の番号等が表示されたスイッチを押下することで、後方から前方に商品が押し出されて下方に落下、又は移載アーム等で下方の取り出し口に排出されるものがある。
【０００８】
この自動販売機は、例えば、前後に伸延する棒状体からなる螺旋形状の搬出部の各ピッチ間を収容スペースとし、ピッチ間に略挟持される形で水平方向に複数収容された商品を搬出部の回転により前方に移動させるものであり、オペレーター会社の作業者等が様々な商品を対象の搬出部の上方から商品を収容して運用されるものである。
【０００９】
また、他の自動販売機としては、例えば、特許文献２に開示されているように、自動販売機にお金を投入し、購入希望者が前面の窓越しに視認できる縦横複数の商品箱に陳列された商品から希望する商品に対応付けられた番号等を入力することや番号等が表示された複数のスイッチから対象の番号等が表示されたスイッチを押下することで商品箱が備える扉が開蓋し購入希望者自らが商品箱から商品を取り出すものである。
【００１０】
この自動販売機は、商品箱が備える扉と共に全ての扉を一括して開蓋する中扉を備え、オペレーター会社の作業者等が中扉を開蓋し様々な商品を対象の商品箱に前方から収容して運用されるものである。
【００１１】
このように、自動販売機は、人が商品を直接販売することなく運用可能なため多くの事業者が導入したいと考えるものである。
【先行技術文献】
【特許文献】
【００１２】
【特許文献１】特開２００１−０８４４４６号公報
【特許文献２】特開平０３−０９４３９９号公報
【発明の概要】
【発明が解決しようとする課題】
【００１３】
上述のように、自動販売機は、人が商品を直接販売することなく運用可能な点に最大のメリットがあるため多くの事業者が導入したいと考える反面、所有するには高価であり、自社商品だけを収容するには大き過ぎると考えて躊躇する小規模の事業者も多い。
【００１４】
このような状況に鑑み、発明者は、１台の自動販売機に複数の事業者が商店街の１店舗のような形で出店でき、小規模事業者を含め様々な事業者が自動販売機を使用し多数の商品を販売できる仕組みとしてコラム等の商品の収容スペースを個別に貸与する方法を鋭意検討した。
【００１５】
この場合、１台の自動販売機を複数の者で管理するには自動販売機の内部に複数の者がアクセスできる必要があり、上述した最も一般的な基本構成を備えた特許文献１に係る自動販売機では、コラムの前方の断熱扉や断熱蓋を容易に開蓋して多数の商品を収容できる反面、貸与された対象のコラムに自社商品を収容する際、他者のコラムに誤って投入してしまうとコラム全体を引き出して他者の商品に触れながら排出しなければならず、また、他者のコラムに意図して何らかの異物が投入されても外部からは確認出来ない等、信頼性や品質面における懸念がある。
【００１６】
また、上述した回転する螺旋形状の搬出部を備えた２番目の自動販売機では、搬出部の上方から前後に渡り商品を収容する構造であることから、他社に貸与された収容スペース内の商品に容易に触れることができ、各ピッチ間に収容できる商品も適度に挟持可能なパンや紙箱入りのお菓子等に限定されてしまうため、多様な商品を扱う個々の事業者に商品の収容スペースを個別に貸与して運営する自動販売機には向いていない。
【００１７】
また、上述した特許文献２に係る自動販売機では、個別の商品箱が備える扉は購入者が商品を取り出す際に使用されるものであり、商品を収容する者は中扉を開蓋することで全商品箱の内部にアクセスできてしまい、また、本構造では装置を極端に大型化しない限り商品箱の個数を増やせず、結果として複数の事業者で運営すると売り上げに貢献できる程の効果を期待することができないため、商品の収容スペースを個別に貸与して運営する自動販売機には向いていない。
【００１８】
このような現状を踏まえ、発明者は、多数の商品を収容でき、現在最も一般的に使用されている特許文献１のような基本構成の自動販売機、すなわち、内部において、上部に投入口を備え下部に排出口を備え略鉛直方向に商品を収容可能としたコラムを複数内蔵した自動販売機を本願の対象とした。
【００１９】
本発明は、以上のような事情に鑑みてなされたものであり、１台の自動販売機を複数の者で運営する際、コラム単位での貸し出しの信頼性や品質面での安全性等を高めるために自動販売機に装着する物品投入制御具及び物品投入制御具を備えた自動販売機を提供することにある。
【課題を解決するための手段】
【００２０】
以上のような目的を達成するために、本発明は以下のようなものを提供する。
【００２１】
請求項１に係る発明では、矩形状の開口部をなし後方に向かって下方に傾斜した投入口を前面上部に備え排出口を下部に備え前記投入口と前記排出口との間で略鉛直方向に物品を収容可能としたコラムを複数内蔵する自動販売機に装着して物品の投入を制御するものであって、前記コラムの前記投入口に装着するために前記投入口近傍の壁面と略係合する係合部と、前記投入口からの物品の投入を阻害する封鎖部と、前記封鎖部の機能を制御する制御部と、で構成したことを特徴とする物品投入制御具を提供せんとする。
【００２２】
請求項２に係る発明では、前記制御部は、鍵と錠とからなる錠前部を形成したことを特徴とする請求項１に記載の物品投入制御具を提供せんとする。
【００２３】
請求項３に係る発明では、前記封鎖部は、開閉蓋自在とする開閉扉、又は前記投入口の前記開口部の幅員または高さに応じて外形寸法を可変自在とする可変伸縮部、を形成したことを特徴とする請求項１または２に記載の物品投入制御具を提供せんとする。
【００２４】
請求項４に係る発明では、複数の前記投入口に一括して装着自在に形成した請求項１乃至３の何れか１項に記載の物品投入制御具を提供せんとする。
【００２５】
請求項５に係る発明では、請求項１乃至４に係る物品投入制御具を備えた自動販売機を提供せんとする。
【発明の効果】
【００２６】
請求項１記載の発明によれば、コラムの投入口に装着するために投入口近傍の壁面と略係合する係合部と、投入口からの物品の投入を阻害する封鎖部と、封鎖部の機能を制御する制御部と、で構成したことより、所有する既存の自動販売機に容易に装着することができ、更に、１台の自動販売機を複数の者で運営する際、他者のコラムへの自身の商品の誤投入や他者のコラムへの意図した異物の投入等を防止できるので信頼性や安全性の高いコラム単位での貸与を容易に導入することができる。
【００２７】
請求項２記載の発明によれば、制御部は、鍵と錠とからなる錠前部を形成したことより、貸与を受けた自身のコラムに対応した鍵でのみコラム内に商品を投入することができるのでコラム単位での貸与を分かり易くシンプルに実現することができる。
【００２８】
請求項３記載の発明によれば、封鎖部は、開閉蓋自在とする開閉扉、又は投入口の開口部の幅員または高さに応じて外形寸法を可変自在とする可変伸縮部、を形成したことより、コラム内への商品の投入時に投入の可否を容易に視認することができる。
【００２９】
請求項４記載の発明によれば、複数の投入口に一括して装着自在に形成したことより、複数の投入口を有する自動販売機であっても投入口毎に個別に装着する煩雑さがなく一括して容易に装着でき、更に、複数のコラムを貸与された者においては自身のコラム管理を容易に行なうことができる。
【００３０】
請求項５記載の発明によれば、請求項１乃至４に係る物品投入制御具を備えた自動販売機であることより、１台の自動販売機を複数の者で運営する際、他者のコラムへの自身の商品の誤投入や他者のコラムへの意図した異物の投入等を防止できるので信頼性や安全性の高いコラム単位での貸与を容易に導入することができる。
【図面の簡単な説明】
【００３１】
【図１】本実施形態に係る物品投入制御具を装着した自動販売機の内側を示す斜視説明図である。
【図２】（ａ）は物品投入制御具の第一実施形態を示す斜視透視図で、（ｂ）は開閉扉を開蓋した状態を示す斜視透視図である。
【図３】物品投入制御具の第一実施形態の正面透視図である。
【図４】（ａ）は図３のＡ−Ａ線断面図で、（ｂ）はＢ−Ｂ線断面図で、（ｃ）はＣ−Ｃ線断面図で、（ｄ）はＤ−Ｄ線断面図である。
【図５】物品投入制御具の第一実施形態を示す斜視透視図である。
【図６】物品投入制御具の第一実施形態を示す斜視透視図である。
【図７】物品投入制御具の第一実施形態を示す斜視透視図である。
【図８】物品投入制御具の第一実施形態を示す斜視透視図である。
【図９】物品投入制御具の第一実施形態を示す斜視透視図である。
【図１０】物品投入制御具の第二実施形態を示す斜視透視図である。
【図１１】（ａ）は物品投入制御具の第二実施形態を示す正面透視図で、（ｂ）は平面透視図である。
【図１２】（ａ）は物品投入制御具の第二実施形態を左右に分離させた状態を示す正面透視図で、（ｂ）は平面透視図である。
【図１３】物品投入制御具の第二実施形態を示す斜視透視図である。
【図１４】物品投入制御具の第二実施形態を示す斜視透視図である。
【図１５】（ａ）は物品投入制御具の第二実施形態を示す斜視透視図で、（ｂ）は外形を縮めた状態を示す正面透視図で、（ｃ）は錠前部で係合した様子を示す正面透視図である。
【図１６】本願が対象とする自動販売機の正面図の一例である。
【図１７】本願が対象とする自動販売機の内側を示す斜視説明図の一例である。
【発明を実施するための形態】
【００３２】
本発明に係る物品投入制御具及び物品投入制御具を備えた自動販売機の要旨は、上部に投入口を備え下部に排出口を備え略鉛直方向に物品を収容可能としたコラムを複数内蔵する自動販売機に装着して物品の投入を制御するものであって、コラムの投入口に装着するために投入口近傍の壁面と略係合する係合部と、投入口からの物品の投入を阻害する封鎖部と、封鎖部の機能を制御する制御部と、で構成したことを特徴とする。すなわち、１台の自動販売機を複数の者で運営する際、コラム単位での貸し出しの信頼性や品質面での安全性等を高めるために自動販売機に装着する物品投入制御具及び物品投入制御具を備えた自動販売機の提供を図ろうとするものである。
【００３３】
以下、本発明に係る物品投入制御具１及び物品投入制御具１を備えた自動販売機２の実施形態について図面を参照しながら説明する。また、本説明中において左右同一又は左右対称の構造や部品については、原則として同一の符号を付し、左右何れか一方のみを説明して、他方については説明を適宜省略する。なお、図面中の符号の無い矢印は開閉や摺動の向きを簡易的に示したものである。
【００３４】
また、本明細書中における物品とは、販売を目的とした物である商品だけでなく、提供したい物であればノベルティーグッズ等コラムｃに収容可能な限りにおいて如何なる物も対象となる。
【００３５】
また、本発明で対象とする従来の自動販売機Ａは、例えば、図１６に示すように、前面の外扉ｂに、複数のサンプルｓを陳列した商品ディスプレイｄ、複数の押し釦スイッチｐ、商品取り出し口ｍ、コイン投入口ｋ、紙幣投入口ｎ、コイン返却口ｆ、返却レバーｒ、表示部ｚ、及び通信ユニットｑ等を備えている。
【００３６】
また、例えば、図１７に示すように、外扉ｂの内側には、例えば、コインメックｖや電気部品からなる管理機器ｔ等を備え、本体部ｕと外扉ｂとの間に内扉ｙを備え、本体部ｕにコラムｃや商品排出部ｘ、図示しない温調機器等を備えている。
【００３７】
また、本明細書中におけるコラムｃとは、自動販売機Ａの内部において、上部に投入口ｅを備え下部に排出口を備え略鉛直方向に物品を収容可能としたものをいい、１つのコラムｃに複数の投入口ｅや排出口を有していても説明の便宜上特記しない限り投入口ｅはコラムｃと同義として説明する。
【００３８】
なお、図面には排出口を示していないが、排出口は、例えば、図１７に示した自動販売機Ａの商品排出部ｘの真上において商品排出部ｘと連通するようにコラムｃの下部に形成しているものとして説明する。
【００３９】
本発明の実施形態に係る物品投入制御具１は、図１７に示すように、上部に投入口ｅを備え下部に排出口を備え略鉛直方向に物品を収容可能としたコラムｃを複数内蔵する自動販売機Ａに装着して物品の投入を制御するものであって、図２に示すように、コラムｃの投入口ｅに装着するために投入口ｅ近傍の壁面と略係合する係合部３３と、投入口ｅからの物品の投入を阻害する封鎖部４と、封鎖部４の機能を制御する制御部２１と、で構成している。
【００４０】
また、制御部２１は、鍵２３と錠２４とからなる錠前部２２を形成し、封鎖部４は、開閉蓋自在とする開閉扉６、又は図１０等に示すように、投入口ｅの開口部の広さに応じて外形寸法を可変自在とする可変伸縮部１５を形成している。
【００４１】
すなわち、図１７に示す従来の自動販売機Ａの投入口ｅに物品投入制御具１を装着することで図１に示すように構成し、コラム単位での貸与を受けた者が自身のコラムｃだけにアクセスできるようにして、他者のコラムｃへの自身の商品の誤投入や他者のコラムｃへの意図した異物の投入等を防止するようにしたものである。
【００４２】
以下、本実施形態に係る物品投入制御具１について第一実施形態から第三実施形態までの３つの実施形態について具体的に詳述するが、物品投入制御具１を備えた自動販売機２については、これら３つの実施形態の説明により説明を割愛する。
【００４３】
［第一実施形態］
第一実施形態に係る物品投入制御具１（ａ〜ｆ）を図１〜図９に示す。
【００４４】
第一実施形態に係る物品投入制御具１ａは、図２（ａ）、（ｂ）に示すように、横長の矩形状に形成し、前面には横開きとなるように枠体９の左側に枢止連結して形成した開閉扉６からなる封鎖部４と、封鎖部４の右側と枠体９の右側とで係合するように形成した制御部２１をなす錠前部２２と、枠体９を後方に伸延して突設した係合部３３と、で構成している。
【００４５】
封鎖部４は、図２及び図３に示すＢ−Ｂ線断面図を示す図４（ｂ）のように、矩形板状に形成し、左側端縁の上下に軸留部７を形成し、軸留部７は、枠体９の左側上下に形成した垂直方向に貫通する軸孔１１に挿通した回動軸１２を軸止して、図２（ｂ）の如く開閉扉６を右側から水平方向手前に開閉蓋自在に形成している。
【００４６】
また、封鎖部４には、図２（ａ）、（ｂ）に示すように、右側端縁中央において鍵２３と錠２４とで構成した制御部２１からなる錠前部２２を形成し、図３に示すＣ−Ｃ線断面図を示す図４（ｃ）のように、前方から鍵２３を挿入し鍵２３を回動させることで一体に回動する屈曲板状の係合爪２５を形成し、図３及び図３に示すＤ−Ｄ線断面図を示す図４（ｄ）のように、枠体９の右端部に形成した断面視Ｕ字状の係合受部２９と係合して開閉扉６を閉蓋する。
【００４７】
なお、図４（ｃ）は、説明の便宜上、係合爪２５の側面形状を示すために係合受部２９と係合しない位置（係合爪２５が上向き）で作図している。
【００４８】
また、本実施形態では制御部２１を錠前部２２として係合爪２５と係合受部２９を構成するものとして説明しているが、このような構造に限定されず、また、電子錠を排除するものでもなく制御部２１の構成や構造については本実施形態に限定されるものではない。
【００４９】
また、枠体９は、図２（ｂ）に示すように、横長矩形状で正面視ロ字状の開口を形成した枠体基部１０と、枠体基部１０の左右端部から後方に伸延して突設した板状の縦係合片３４，３４と、図３に示すＡ−Ａ線断面図を示す図４（ａ）のように、枠体基部１０の上下端部から後方の下方に若干だけ傾斜させて伸延して突設した板状の横係合片３７，３７とで構成している。
【００５０】
なお、図１７に示す一般的な自動販売機Ａのコラムｃの投入口ｅは、後方に向かって下方に傾斜しているため横係合片３７もそれに倣って傾斜を設けているが、傾斜の有無や角度については物品投入制御具を装着する自動販売機Ａに応じて種々の変形・変更が可能である。
【００５１】
枠体基部１０は、図２（ａ）、図４（ｂ）に示すように、垂直方向に貫通する上述した軸孔１１を左側上下部分に形成し、軸孔１１に軸通する回動軸１２は、外端縁部でＣリング等の軸止部材１３により枠体基部１０と略接続している。
【００５２】
縦係合片３４は、角部を面取りした矩形状で略中央部には上下に伸延する楕円状の縦係合孔３５を穿設し、横係合片３７は、角部を面取りした矩形状で略中央部には左右に伸延する楕円状の横係合孔３８を平行に２列穿設している。
【００５３】
縦係合片３４と横係合片３７は、図１７に示す一般的な自動販売機Ａのコラムｃの投入口ｅの内側壁に密着当接可能な形状に形成して投入口ｅに挿入され、自動販売機Ａの投入口ｅが備える各種の孔ｈを利用して縦係合孔３５と横係合孔３８を連通した状態で図２（ａ）に示すようなボルト５０やワッシャー５１、状況により図示しないナットを用いて物品投入制御具１が自動販売機Ａに装着固定され図１のような外観となる。
【００５４】
なお、係合部３３の形状や配置等は本実施形態に限定されず、本発明の要旨の範囲内において種々の変形・変更が可能であることは言うまでもない。
【００５５】
このように、第一実施形態に係る物品投入制御具１ａは、図１に示すように自動販売機Ａのコラムｃの投入口ｅに容易に装着して封鎖でき、コラム単位で貸与を受けたものが専用の鍵２３で自身のコラムｃにアクセスすることが可能となる。
【００５６】
また、第一実施形態に係る物品投入制御具１ａは、図５に示す物品投入制御具１ｂのように、第一実施形態に係る物品投入制御具１ａを縦方向に一体に複数連設して形成することもできる。
【００５７】
この場合、隣接する横係合片３７の間隙は、自動販売機Ａのコラムｃの投入口ｅの水平な側壁を挟持して略固定される程度の間隙であることが望ましい。
【００５８】
なお、物品投入制御具１ｂは縦方向の連設だけでなく横方向であっても、その他如何なる配置の連設であっても本発明の要旨の範囲内において種々の変形・変更が可能である。
【００５９】
更に、第一実施形態に係る物品投入制御具１ａは、図６に示す物品投入制御具１ｃのように、コラムｃの縦方向の複数の投入口ｅを一括して開閉蓋自在とするように構成することもできる。
【００６０】
この場合、封鎖部４を形成する開閉扉６は、複数の投入口ｅを一括して開閉蓋自在とする大きさに形成し、縦係合片３４は鉛直方向に複数形成し、制御部２１は右側の略中央部に１箇所形成する。
【００６１】
なお、物品投入制御具１ｃは縦方向だけでなく横方向の投入口ｅを一括して開閉蓋自在としてもよく、その他如何なる配置であっても投入口ｅを一括して開閉蓋自在とする限り本発明の要旨の範囲内において種々の変形・変更が可能である。
【００６２】
また、第一実施形態に係る物品投入制御具１ａは、図７に示す物品投入制御具１ｄのように、開閉扉６を上側から手前に開閉蓋自在に形成してもよい。
【００６３】
この場合、手前に縦開きとなるように封鎖部４を枠体９の下側に枢止連結して形成し、錠前部２２を封鎖部４の上側と枠体９の上側とで係合するように形成する。
【００６４】
このように形成した物品投入制御具１ｄは、図８に示す物品投入制御具１ｅのように、縦方向に一体に複数連設して形成することもできる。
【００６５】
この場合、隣接する横係合片３７の間隙は、自動販売機Ａのコラムｃの投入口ｅの水平な側壁を挟持して略固定される程度の間隙であることが望ましい。
【００６６】
なお、物品投入制御具１ｅは縦方向の連設だけでなく横方向であっても、その他如何なる配置の連設であっても本発明の要旨の範囲内において種々の変形・変更が可能である。
【００６７】
更に、物品投入制御具１ｄは、図９に示す物品投入制御具１ｆのように、コラムｃの縦方向の複数の投入口ｅを一括して開閉蓋自在とするように構成することもできる。
【００６８】
この場合、封鎖部４を形成する開閉扉６は、複数の投入口ｅを一括して開閉蓋自在とする大きさに形成し、縦係合片３４は鉛直方向に複数形成し、制御部２１は上部の略中央部に１箇所形成する。
【００６９】
なお、物品投入制御具１ｆは縦方向だけでなく横方向の投入口ｅを一括して開閉蓋自在としてもよく、その他如何なる配置であっても投入口ｅを一括して開閉蓋自在とする限り本発明の要旨の範囲内において種々の変形・変更が可能である。
【００７０】
［第二実施形態］
次に、第二実施形態に係る物品投入制御具１（ｇ〜ｉ）を図１０〜図１２に示す。
【００７１】
第二実施形態に係る物品投入制御具１ｇは、図１０、図１１（ａ）、（ｂ）に示すように、横長の矩形状に形成した第一可動部１６と、第一可動部１６の上下端縁を受入れて略係合し第一可動部１６を左右に摺動自在とする矩形状に形成した第二可動部１８と、で構成した可変伸縮部１５からなる封鎖部４と、第一可動部１６と第二可動部１８が交差する裏面中央部近傍で係合するように形成した制御部２１をなす錠前部２２と、第一可動部１６の左端部と第二可動部１８の右端部を後方に伸延して屈曲した係合部３３と、で構成している。
【００７２】
第一可動部１６は、図１２（ａ）、（ｂ）に示すように、矩形板状に形成して封鎖部４の略左半分をなし、第二可動部１８は、矩形板状に形成して封鎖部４の略右半分をなし、高さ方向を第一可動部１６の高さよりも長く形成すると共に上下端縁を後方に屈曲させて摺動溝部１９を形成し、摺動溝部１９には第一可動部１６の上下端縁を受入れて第一可動部１６が第二可動部１８の後方で左右に摺動自在となるよう形成している。
【００７３】
また、封鎖部４には、図１１（ａ）、（ｂ）に示すように、第一可動部１６と第二可動部１８が交差する中央部近傍において上述した第一実施形態に係る鍵２３と、本実施形態に係る錠２４とで構成した錠前部２２を形成し、錠前部２２は、第二可動部１８の左側中央に鍵２３を挿入し鍵２３を回動させることで裏面で一体に回動する凹凸係合爪２６を形成し、第一可動部１６の裏面で正面視右側中央近傍に凹凸係合爪２６と係合する凹凸係合受部３０を形成して錠２４を構成している。
【００７４】
凹凸係合爪２６は、屈曲板状で先端側の下側縁に複数の山・谷を形成して凹凸をなす回動凹凸部２７を備え、凹凸係合受部３０は、第一可動部１６の裏面において水平方向に横長帯状に突出して形成し、上端部に複数の山・谷を形成して凹凸をなす位置決め凹凸部３１を備えることで回動凹凸部２７と係合自在に形成している。
【００７５】
なお、本実施形態では制御部２１を錠前部２２として凹凸係合爪２６と凹凸係合受部３０を構成するものとして説明しているが、このような構造に限定されず、また、電子錠を排除するものでもなく制御部２１の構成や構造については本実施形態に限定されるものではない。
【００７６】
また、第一可動部１６の左端部と第二可動部１８の右端部を後方に伸延して屈曲した係合部３３，３３は、後方の下方に若干だけ傾斜させた矩形板状に形成すると共に外側面にゴム材等からなる当接部４０を貼設して付勢片４１をなしている。
【００７７】
なお、第一可動部１６が第二可動部１８から脱落しないように図示しないストッパーを形成することが望ましく、また、自動販売機Ａのコラムｃの投入口ｅの内側壁に付勢片４１が密着当接し難い場合は、自動販売機Ａの投入口ｅが備える各種の孔ｈの何れかに挿入され係合するような図示しない突起部を付勢片４１の外側面に設けることが望ましい。
【００７８】
また、図面中には示していないが、第二可動部１８に形成した錠２４を構成する凹凸係合爪２６の部分と第一可動部１６とが摺動時に干渉しないよう第一可動部１６を所定領域だけ穿設している。
【００７９】
このように形成した第二実施形態に係る物品投入制御具１ｇは、図１７に示す一般的な自動販売機Ａのコラムｃの投入口ｅの幅員に合わせて第一・第二可動部１６，１８からなる可変伸縮部１５を摺動して封鎖部４の長さを可変し、投入口ｅの左右方向の内側壁に当接部４０を密着当接させながら錠前部２２の凹凸係合爪２６の回動凹凸部２７と凹凸係合受部３０の位置決め凹凸部３１を係合させ物品投入制御具１ｇが自動販売機Ａに装着固定される。
【００８０】
なお、物品投入制御具１ｇを投入口ｅに装着し易くするために第二可動部１８の摺動溝部１９にバネ等の付勢部材を配設して第一可動部１６が第二可動部１８から離反する方向の付勢力を有するように形成してもよい。
【００８１】
このように、第二実施形態に係る物品投入制御具１ｇは、自動販売機Ａのコラムｃの投入口ｅに容易に装着して封鎖でき、コラム単位で貸与を受けたものが専用の鍵２３で自身のコラムｃにアクセスすることが可能となる。
【００８２】
また、第二実施形態に係る物品投入制御具１ｇは、隣接する横方向の複数の投入口ｅを一括して封鎖できるように形成することもできる。
【００８３】
また、第二実施形態に係る物品投入制御具１ｇは、図１３に示す物品投入制御具１ｈのように、第一可動部１６と第二可動部１８が上下に摺動自在となるように可変伸縮部１５を形成してもよい。
【００８４】
この場合の構成は、上述の物品投入制御具１ｇと同様であり、一般的な自動販売機Ａのコラムｃの投入口ｅの高さに合わせて第一・第二可動部１６，１８が摺動し、係合部３３をなす付勢片４１は投入口ｅの上下方向の内側壁に当接部４０が密着当接されるような傾斜を形成すればよい。
【００８５】
また、上述の物品投入制御具１ｈは、図１４に示す物品投入制御具１ｉのように、コラムｃの縦方向の複数の投入口ｅを一括して封鎖自在とするように構成することもできる。
【００８６】
この場合の構成も、上述の物品投入制御具１ｈと同様であり、上下の寸法を適度な長さで形成すればよい。
【００８７】
［第三実施形態］
次に、第三実施形態に係る物品投入制御具１ｊを図１５（ａ）、（ｂ）、（ｃ）に示す。
【００８８】
なお、第三実施形態に係る物品投入制御具１ｊは、上述した第二実施形態に係る物品投入制御具１ｇをより立体的に構成することで内部にバネ等の付勢部材４３を配設し易くしたものであるため、同様の機能を有する部材は同様の符号を付して説明する。
【００８９】
第三実施形態に係る物品投入制御具１ｊは、横長の矩形ブロック状に形成した第一可動部１６と、第一可動部１６を受入れて略係合し第一可動部１６を左右に摺動自在とする矩形箱状に形成した第二可動部１８と、で構成した可変伸縮部１５からなる封鎖部４と、第一可動部１６と第二可動部１８が交差する前面の裏面中央部近傍で係合するように形成した制御部２１をなす錠前部２２と、第一可動部１６の左端部と第二可動部１８の右端部からなる係合部３３と、で構成している。
【００９０】
第一可動部１６は、矩形ブロック状に形成して封鎖部４の略左半分をなし、第二可動部１８は、矩形箱状に形成して封鎖部４の略右半分をなし、第一可動部１６がガタつかない程度に内部に第一可動部１６を摺動自在に収容できるよう形成している。
【００９１】
また、封鎖部４には、第一可動部１６と第二可動部１８が交差する前面の中央部近傍において上述した鍵２３と、本実施形態に係る錠２４とで構成した錠前部２２を形成し、錠前部２２は、第二可動部１８の左方近傍の上側に鍵２３を挿入し鍵２３を回動させることで裏面で一体に回動する凹凸係合爪２６を形成し、第一可動部１６の前面で下側中央近傍に凹凸係合爪２６と係合する凹凸係合受部３０を形成して錠２４を構成している。
【００９２】
凹凸係合爪２６は、屈曲板状で先端側の下側縁に複数の山・谷を形成して凹凸をなす回動凹凸部２７を備え、凹凸係合受部３０は、第一可動部１６の前面において水平方向に横長帯状に突出して形成し、上端部に複数の山・谷を形成して凹凸をなす位置決め凹凸部３１を備えることで回動凹凸部２７と係合自在に形成している。
【００９３】
なお、本実施形態では制御部２１を錠前部２２として凹凸係合爪２６と凹凸係合受部３０を構成するものとして説明しているが、このような構造に限定されず、また、電子錠を排除するものでもなく制御部２１の構成や構造については本実施形態に限定されるものではない。
【００９４】
また、第一可動部１６の左端部と第二可動部１８の右端部でなす係合部３３，３３には、ゴム材等からなる当接部４０を貼設している。
【００９５】
また、第一可動部１６を内部に収容した第二可動部１８内には、第一可動部１６の先端面と第二可動部１８の内底面、すなわち、右側の係合部３３の内側との間で第一可動部１６を外側に離反する方向に付勢するバネからなる付勢部材４３を配設している。
【００９６】
なお、第一可動部１６が第二可動部１８から脱落しないように図示しないストッパーを形成することが望ましく、また、自動販売機Ａのコラムｃの投入口ｅの内側壁に係合部３３が密着当接し難い場合は、自動販売機Ａの投入口ｅが備える各種の孔ｈの何れかに挿入され係合するような図示しない突起部を係合部３３の外側面に設けることが望ましい。
【００９７】
また、図面中には示していないが、第二可動部に形成した錠２４を構成する凹凸係合爪２６の部分と第一可動部１６の前面とが摺動時に干渉しないよう第一可動部１６の前面を所定領域だけ穿設している。
【００９８】
このように形成した第三実施形態に係る物品投入制御具１ｊは、一般的な自動販売機Ａのコラムｃの投入口ｅの幅員に合わせて第一・第二可動部１６，１８を付勢させ、投入口ｅの左右方向の内側壁に当接部４０を密着当接させながら錠前部２２の凹凸係合爪２６の回動凹凸部２７と凹凸係合受部３０の位置決め凹凸部３１を係合させ物品投入制御具１ｊが自動販売機Ａに装着固定される。
【００９９】
このように、第三実施形態に係る物品投入制御具１ｊは、自動販売機Ａのコラムｃの投入口ｅに容易に装着して封鎖でき、コラム単位で貸与を受けたものが専用の鍵２３で自身のコラムｃにアクセスすることが可能となる。
【０１００】
なお、本実施形態に係る物品投入制御具１ｊの構成は、実施形態に限定されず本発明の要旨の範囲内において種々の変形・変更が可能である。
【０１０１】
また、本実施形態に係る物品投入制御具１及び物品投入制御具１を備えた自動販売機２は、複数人に対してコラム単位での貸与を可能とするため、安全性の面から自動販売機２には、図１に示すように外扉ｂの上部に監視カメラ５５を配設してコラムｃへの商品収容作業を行なう者を記録等出来るように構成することが望ましい。
【０１０２】
なお、複数人に対してコラム単位での貸与をより安全に行なうには、自動販売機２の内部（図１）に設置される、現金に関わる部分やコインメックｖ等の施錠の徹底や、販売価格等を設定する管理機器ｔ等の操作を被貸与者毎のパスワードで操作可能とする等、複数の手当てを行なうことが望ましい。
【０１０３】
以上、説明したように本実施形態に係る物品投入制御具１（ａ〜ｊ）は構成しており、コラムｃの投入口ｅに装着するために投入口ｅ近傍の壁面と略係合する係合部３３と、投入口ｅからの物品の投入を阻害する封鎖部４と、封鎖部４の機能を制御する制御部２１と、で構成したことより、所有する既存の自動販売機Ａに容易に装着することができ、更に、１台の自動販売機Ａを複数の者で運営する際、他者のコラムｃへの自身の商品の誤投入や他者のコラムｃへの意図した異物の投入等を防止できるので信頼性や安全性の高いコラム単位での貸与を容易に導入することができる。
【０１０４】
また、制御部２１は、鍵２３と錠２４とからなる錠前部２２を形成したことより、貸与を受けた自身のコラムｃに対応した鍵２３でのみコラムｃ内に商品を投入することができるのでコラム単位での貸与を分かり易くシンプルに実現することができる。
【０１０５】
また、封鎖部４は、開閉蓋自在とする開閉扉６、又は投入口ｅの開口部の広さに応じて外形寸法を可変自在とする可変伸縮部１５、を形成したことより、コラムｃ内への商品の投入時に投入の可否を容易に視認することができる。
【０１０６】
また、複数の投入口ｅに一括して装着自在に形成したことより、複数の投入口ｅを有する自動販売機Ａであっても投入口ｅ毎に個別に装着する煩雑さがなく一括して容易に装着でき、更に、複数のコラムｃを貸与された者においては自身のコラム管理を容易に行なうことができる。
【０１０７】
更に、上述した物品投入制御具１を備えた自動販売機２であれば、１台の自動販売機２を複数の者で運営する際、他者のコラムｃへの自身の商品の誤投入や他者のコラムｃへの意図した異物の投入等を防止できるので信頼性や安全性の高いコラム単位での貸与を容易に導入することができる。
【０１０８】
以上、本発明の本実施形態に係る物品投入制御具１（ａ〜ｊ）及び物品投入制御具１（ａ〜ｊ）を備えた自動販売機２の好ましい実施形態について説明したが、本発明は特定の実施形態に限定されるものではなく、種々の変形・変更が可能である。
【符号の説明】
【０１０９】
Ａ  自動販売機（従来）
ｃ  コラム
ｅ  投入口
１  物品投入制御具
１ａ  物品投入制御具（第一実施形態）
１ｂ  物品投入制御具（第一実施形態）
１ｃ  物品投入制御具（第一実施形態）
１ｄ  物品投入制御具（第一実施形態）
１ｅ  物品投入制御具（第一実施形態）
１ｆ  物品投入制御具（第一実施形態）
１ｇ  物品投入制御具（第二実施形態）
１ｈ  物品投入制御具（第二実施形態）
１ｉ  物品投入制御具（第二実施形態）
１ｊ  物品投入制御具（第三実施形態）
２  自動販売機（本願）
４  封鎖部
６  開閉扉
１５  可変伸縮部
２１  制御部
２２  錠前部
２３  鍵
２４  錠
３３  係合部
【要約】
【課題】１台の自動販売機を複数の者で運営する際、コラム単位での貸し出しの信頼性や品質面での安全性等を高めるために自動販売機に装着する物品投入制御具及び物品投入制御具を備えた自動販売機を提供する。
【解決手段】本発明に係る物品投入制御具１は、コラムｃの投入口ｅに装着するために投入口ｅ近傍の壁面と略係合する係合部３３と、投入口ｅからの物品の投入を阻害する封鎖部４と、封鎖部４の機能を制御する制御部２１と、で構成したことを特徴とする。
【選択図】図１【図１】
0006877724.tif 000002
【図２】
0006877724.tif 000003
【図３】
0006877724.tif 000004
【図４】
0006877724.tif 000005
【図５】
0006877724.tif 000006
【図６】
0006877724.tif 000007
【図７】
0006877724.tif 000008
【図８】
0006877724.tif 000009
【図９】
0006877724.tif 000010
【図１０】
0006877724.tif 000011
【図１１】
0006877724.tif 000012
【図１２】
0006877724.tif 000013
【図１３】
0006877724.tif 000014
【図１４】
0006877724.tif 000015
【図１５】
0006877724.tif 000016
【図１６】
0006877724.tif 000017
【図１７】
0006877724.tif 000018